【手続補正書】
【提出日】平成14年12月20日(2002.12.20)
【手続補正１】
【補正対象書類名】明細書
【補正対象項目名】特許請求の範囲
【補正方法】変更
【補正の内容】
【特許請求の範囲】
【請求項１】
スタック順位表手段を用いるコンピュータシステムであって、
第１のユニフォーム・リソース・ロケータ（ＵＲＬ）をコンピュータ・ユーザに提示する提示手段（１０２）と、
前記コンピュータ・ユーザが予備審査ソリューションを既に終えたか否かを判定する第１のコンピュータ手段（１０６）と、
前記コンピュータ・ユーザが予備審査ソリューションを未だ終えていないと前記第１のコンピュータ手段（１０６）が判定した場合に、該コンピュータ・ユーザに対し第２のＵＲＬを提供する第２のコンピュータ手段（１１６）と、
コンピュータ・ユーザをふるいにかける予備審査ソリューション手段であって、前記第２のＵＲＬが提示するウェブサイト上に実装され、前記コンピュータ・ユーザから予備審査回答を引き出す予備審査ソリューション手段（１０８）と、
コンピュータ（１０６）に実装され、他の複数のコンピュータ・ユーザの中での前記コンピュータ・ユーザの順位を決めるスタック順位表手段であって、前記コンピュータ・ユーザから前記予備審査回答が入力され次第、前記コンピュータ・ユーザと前記他のコンピュータ・ユーザを上から順に順位付けするスタック順位表手段（７３０）と、
スタック順位表の中から次へ進むコンピュータ・ユーザを選抜する選抜ソリューション手段であって、選抜質問について前記コンピュータ・ユーザおよび前記他の複数のコンピュータ・ユーザから選抜回答を引き出し、該選抜回答を当該選抜ソリューション手段により評価して前記スタック順位表手段により前記コンピュータ・ユーザと前記他のコンピュータ・ユーザを再順位付けすることにより前記選抜を行う選抜ソリューション手段（１０８）と、
前記次へ進むコンピュータ・ユーザに体系的面接を行うための面接ソリューション手段であって、前記体系的面接はコンピュータにより提供される面接用質問により構成され、前記スタック順位表手段は当該面接ソリューション手段から面接スコアを受け取り、前記スタック順位表手段は前記面接スコアを受けて前記先へ進むコンピュータ・ユーザを再度順位付けする、面接ソリューション手段（１０８）と、
その後に前記コンピュータ・ユーザの業務評価を記録する業績評価記録手段（１２４）と、
前記業績評価を前記予備審査回答および前記選抜回答と関連付ける関連付け手段（１０６）と、
前記関連付けに応じて、当該コンピュータシステムを調整するシステム調整手段（１０６）とから構成されるコンピュータシステム。
【請求項２】
第１のコンピュータ・ユーザに関連付けられた第１のコンピュータ端末（１０２）と、
第２のコンピュータ・ユーザに関連付けられた第２のコンピュータ端末（１１６）と、第３のコンピュータ・ユーザに関連付けられた第３のコンピュータ端末（１２０）と、
データベース（１１０）と、
以下のように構成された第１のサーバとを含む人材管理用のコンピュータシステムであって、前記第１のサーバは、
前記第１のコンピュータ端末（１０２）とインターネット（１０４）経由で通信し、第１の識別情報を収集し、
第１のコンピュータ・ユーザから第１の予備審査情報を引き出す予備審査質問を、予備審査ウェブサイト（５２４）に表示し、
前記第１の予備審査情報を前記第１のコンピュータ端末（１０２）からインターネット（１０４）経由で受信し、
前記第１の予備審査情報を評価して、第１の予備審査スコアを計算し、
前記第１の予備審査スコアを前記第１の識別情報と関連付け、
前記第１の識別情報と関連付けられた前記第１の予備審査スコアをデータベース（１１０）のスタック順位表（５３０）に保存し、
前記第２のコンピュータ端末（１１６）とインターネット（１０４）経由で通信し、第２のコンピュータ・ユーザに関する第２の識別情報を前記第２のコンピュータ端末（１１６）からインターネット（１０４）経由で収集し、
前記第２の識別情報を前記データベース（１１０）に蓄積されたデータと比較し、データベース（１１０）が該第２のコンピュータ・ユーザに関する予備審査データを以前に保存しているか判定し、
前記第２のコンピュータ・ユーザから第２の予備審査情報を引き出す予備審査質問を、前記予備審査ウェブサイト（５２４）に表示し、
前記第２の予備審査情報を前記第２のコンピュータ端末（１１６）からインターネット（１０４）経由で受信し、
前記第２の予備審査情報を評価して、第２の予備審査スコアを計算し、
前記第２の予備審査スコアを前記第２の識別情報と関連付け、
前記第２の識別情報と関連付けられた前記第２の予備審査スコアを、データベース（１１０）のスタック順位表（５３０）に保存し、
前記第３のコンピュータ端末（１２０）とインターネット（１０４）経由で通信し、第３のコンピュータ・ユーザに関する第３の識別情報を前記第３のコンピュータ端末（１２０）からインターネット（１０４）経由で収集し、
前記第３の識別情報を前記データベース（１１０）に蓄積されたデータと比較し、データベース（１１０）が該第３のコンピュータ・ユーザに関する予備審査データを以前に保存しているか判定し、
前記第３のコンピュータ・ユーザから第３の予備審査情報を引き出す予備審査質問を、前記予備審査ウェブサイト（５２４）に表示し、
前記第３の予備審査情報を前記第３のコンピュータ端末（１２０）からインターネット（１０４）経由で受信し、
前記第３の予備審査情報を評価して、第３の予備審査スコアを計算し、
前記第３の予備審査スコアを前記第３の識別情報と関連付け、
前記第３の識別情報と関連付けられた前記第３の予備審査スコアを、データベース（１１０）のスタック順位表（５３０）に保存し、
前記第１のコンピュータ・ユーザ、前記第２のコンピュータ・ユーザおよび前記第３のコンピュータ・ユーザのスタック順位表における相対順位を、少なくとも部分的に前記第１の予備審査スコア、前記第２の予備審査スコアおよび前記第３の予備審査スコアに基づいて順位付けし、
選抜画面（５３８）を提供し、
前記相対順位に基づいて、前記第３のコンピュータ・ユーザは除いて、前記第１のコンピュータ・ユーザおよび前記第２のコンピュータ・ユーザによる前記選抜画面（５３８）へのアクセスを提供し、
前記選抜画面（５３８）に前記第１のコンピュータ・ユーザから第１の選抜情報を引き出す選抜質問を表示し、
第４のコンピュータ端末（１２４）から前記第１の選抜情報を受信し、
前記第１の選抜情報を評価して、第１の選抜スコアを計算し、
前記第１の選抜スコアを前記第１の識別情報と関連付け、
前記第１の識別情報と関連付けられた前記第１の選抜スコアを、スタック順位表（５３０）に保存し、
前記選抜画面（５３８）に前記第２のコンピュータ・ユーザから第２の選抜情報を引き出す選抜質問を表示し、
前記第４のコンピュータ端末（１２４）から前記第２の選抜情報を受信し、
前記第２の選抜情報を評価して、第２の選抜スコアを計算し、
前記第２の選抜スコアを前記第２の識別情報と関連付け、
前記第２の識別情報と関連付けられた前記第２の選抜スコアを、スタック順位表（５３０）に保存し、
前記第１のコンピュータ・ユーザおよび前記第２のコンピュータ・ユーザのスタック順位表（５３０）における相対順位を、少なくとも部分的に前記第１の選抜スコアと前記第２の選抜スコアに基づいて再順位付けし、
前記第１のコンピュータ・ユーザおよび前記第２のコンピュータ・ユーザの中から、前記再順位付けに基づいて採用に値する候補者を選抜し、
前記採用に値する候補者の身元の表示を提供する
ように構成されている人材管理用のコンピュータシステム。
【請求項３】
前記第１のサーバ（１０６）が、さらに、
インターネット（１０４）を介して、前記第１のコンピュータ端末（１０２）に前記第１の予備審査スコアに応じた第１のフィードバック（５４０）を転送し、
インターネット（１０４）を介して、前記第２のコンピュータ端末（１１６）に前記第２の予備審査スコアに応じた第２のフィードバック（５４０）を転送し、
インターネット（１０４）を介して、前記第３のコンピュータ端末（１０２）に前記第３の予備審査スコアに応じた第３のフィードバック（５４０）を転送するように構成されていることを特徴とする請求項２記載のコンピュータシステム。
【請求項４】
前記第１のサーバ（１０６）が、さらに、採用に値する候補者に、採用の申し出を表す合格者用ウェブサイトを教えるように構成されていることを特徴とする請求項２記載のコンピュータシステム。
【請求項５】
前記第１のコンピュータ端末（１０２）は、インターネット（１０４）に接続する無線通信デバイスを備えることを特徴とする請求項２記載のコンピュータシステム。
【請求項６】
前記第４のコンピュータ端末（１２４）は、前記第１のコンピュータ端末（１０２）から離れた管理施設に配置されていることを特徴とする請求項２記載のコンピュータシステム。
【請求項７】
前記第４のコンピュータ端末（１２４）には、前記第１のコンピュータ端末（１０２）および前記第２のコンピュータ端末（１１６）が含まれることを特徴とする請求項２記載のコンピュータシステム。
【請求項８】
前記第１のサーバ（１０６）は、前記第４のコンピュータ端末（１２４）と通信する第２のサーバ（１１２）を含むことを特徴とする請求項２記載のコンピュータシステム。
【請求項９】
前記選抜画面（５３８）は、前記第１のサーバ上に構築されたウェブサイトを有することを特徴とする請求項２記載のコンピュータシステム。
【請求項１０】
前記第１のサーバ（１０６）がインターネット（１０４）を介して受信した前記第１の予備審査情報、前記第２の予備審査情報および前記第３の予備審査情報は、情報技術に関係のある素質を示すことを特徴とする請求項２記載のコンピュータシステム。
【請求項１１】
前記第１のコンピュータ端末は電話機であることを特徴とする請求項２記載のコンピュータシステム。
【請求項１２】
第１のコンピュータ・ユーザに関連付けられた第１のコンピュータ端末（１０２）、第２のコンピュータ・ユーザに関連付けられた第２のコンピュータ端末（１１６）、第３のコンピュータ・ユーザに関連付けられた第３のコンピュータ端末（１２０）、データベース（１１０）および第１のサーバ（１０６）を備えたコンピュータシステムにより人材を管理するコンピュータ化された方法であって、
前記第１のコンピュータ端末（１０２）とインターネット（１０４）経由で通信して、第１の識別情報を取得し、
予備審査ウェブサイト（５２４）をホスティングし、
第１のコンピュータ・ユーザから第１の予備審査情報を引き出す予備審査質問を、予備審査ウェブサイト（５２４）に表示し、
前記第１の予備審査情報を前記第１のコンピュータ端末（１０２）からインターネット（１０４）経由で受信し、
前記第１の予備審査情報を評価して、第１の予備審査スコアを計算し、
前記第１の予備審査スコアを前記第１の識別情報と関連付け、
前記第１の識別情報と関連付けられた前記第１の予備審査スコアをデータベース（１１０）のスタック順位表（５３０）に保存し、
前記第２のコンピュータ端末（１１６）とインターネット（１０４）経由で通信し、第２のコンピュータ・ユーザに関する第２の識別情報を前記第２のコンピュータ端末（１１６）からインターネット（１０４）経由で収集し、
前記第２の識別情報を前記データベース（１１０）に蓄積されたデータと比較し、データベース（１１０）が該第２のコンピュータ・ユーザに関する予備審査データを以前に保存しているか判定し、
前記第２のコンピュータ・ユーザから第２の予備審査情報を引き出す予備審査質問を、前記予備審査ウェブサイト（５２４）に表示し、
前記第２の予備審査情報を前記第２のコンピュータ端末（１１６）からインターネット（１０４）経由で受信し、
前記第２の予備審査情報を評価して、第２の予備審査スコアを計算し、
前記第２の予備審査スコアを前記第２の識別情報と関連付け、
前記第２の識別情報と関連付けられた前記第２の予備審査スコアを、データベース（１１０）のスタック順位表（５３０）に保存し、
前記第３のコンピュータ端末（１２０）とインターネット（１０４）経由で通信し、第３のコンピュータ・ユーザに関する第３の識別情報を前記第３のコンピュータ端末（１２０）からインターネット（１０４）経由で収集し、
前記第３の識別情報を前記データベース（１１０）に蓄積されたデータと比較し、データベース（１１０）が該第３のコンピュータ・ユーザに関する予備審査データを以前に保存しているか判定し、
前記第３のコンピュータ・ユーザから第３の予備審査情報を引き出す予備審査質問を、前記予備審査ウェブサイト（５２４）に表示し、
前記第３の予備審査情報を前記第３のコンピュータ端末（１２０）からインターネット（１０４）経由で受信し、
前記第３の予備審査情報を評価して、第３の予備審査スコアを計算し、
前記第３の予備審査スコアを前記第３の識別情報と関連付け、
前記第３の識別情報と関連付けられた前記第３の予備審査スコアを、データベース（１１０）のスタック順位表（５３０）に保存し、
前記第１のコンピュータ・ユーザ、前記第２のコンピュータ・ユーザおよび前記第３のコンピュータ・ユーザのスタック順位表における相対順位を、少なくとも部分的に前記第１の予備審査スコア、前記第２の予備審査スコアおよび前記第３の予備審査スコアに基づいて順位付けし、
選抜画面（５３８）を提供し、
前記相対順位に基づいて、前記第３のコンピュータ・ユーザは除いて、前記第１のコンピュータ・ユーザおよび前記第２のコンピュータ・ユーザによる前記選抜画面（５３８）へのアクセスを提供し、
前記選抜画面（５３８）に前記第１のコンピュータ・ユーザから第１の選抜情報を引き出す選抜質問を表示し、
第４のコンピュータ端末（１２４）から前記第１の選抜情報を受信し、
前記第１の選抜情報を評価して、第１の選抜スコアを計算し、
前記第１の選抜スコアを前記第１の識別情報と関連付け、
前記第１の識別情報と関連付けられた前記第１の選抜スコアを、スタック順位表（５３０）に保存し、
前記選抜画面（５３８）に前記第２のコンピュータ・ユーザから第２の選抜情報を引き出す選抜質問を表示し、
前記第４のコンピュータ端末（１２４）から前記第２の選抜情報を受信し、
前記第２の選抜情報を評価して、第２の選抜スコアを計算し、
前記第２の選抜スコアを前記第２の識別情報と関連付け、
前記第２の識別情報と関連付けられた前記第２の選抜スコアを、スタック順位表（５３０）に保存し、
前記第１のコンピュータ・ユーザおよび前記第２のコンピュータ・ユーザのスタック順位表（５３０）における相対順位を、少なくとも部分的に前記第１の選抜スコアと前記第２の選抜スコアに基づいて再順位付けし、
前記第１のコンピュータ・ユーザおよび前記第２のコンピュータ・ユーザの中から、前記再順位付けに基づいて採用に値する候補者を選抜し、
前記採用に値する候補者の身元の表示を提供する
ことを特徴とする人材管理方法。
【請求項１３】
さらに、採用に値する候補者に、採用の申し出を表す合格者用ウェブサイトを教える請求項１２記載の人材管理方法。